(57)【特許請求の範囲】
【請求項１】
挿抜可能な記録媒体に記録された情報を読み出して所定の処理を行う車載用機器であって、
前記記録媒体を出し入れする挿入口が前面に形成された筐体と、
前記挿入口の下側に配置された第１の照明手段と、
前記記録媒体を前記挿入口に出し入れする際に、少なくとも前記記録媒体の上側を照明可能な位置に配置された第２の照明手段と、
前記記録媒体が前記挿入口に接近したことを検出する非接触型のセンサと、
前記センサによる前記記録媒体の検出状態を監視しており、前記記録媒体が検出されたときに前記第２の照明手段による照明を行う照明切り替え手段と、
を備えることを特徴とする車載用機器。
【請求項２】
請求項１において、
前記照明切り替え手段は、前記センサによって前記記録媒体が検出されたときに前記第１の照明手段による照明を停止することを特徴とする車載用機器。
【請求項３】
請求項１または２において、
装填された状態にある前記記録媒体の排出を指示する排出指示操作手段をさらに備え、
前記照明切り替え手段は、前期排出指示操作手段によって排出指示が行われたときに、前記第２の照明手段による照明を行うことを特徴とする車載用機器。
【発明の詳細な説明】
【０００１】
【発明の属する技術分野】
本発明は、ディスク等の記録媒体を必要に応じて挿入口に出し入れする車載用機器に関する。
【０００２】
【従来の技術】
従来、車載用のディスク再生装置などの各種の車載用機器では、特に夜間など車室内が暗くなる状況において、ディスク等の記録媒体を挿入する際に挿入口の位置を確認しやすくするために、挿入口の下側に光源を配置して照明する手法が汎用されている。一般に、各種の車載用機器は、利用者の目線よりも低い位置に設置されている場合が多く、この場合に、利用者は挿入口を上側から見下ろすこととなるので、挿入口の下側に光源を配置してその周辺を照明することにより、挿入口の位置が分かりやすくなる。
【０００３】
【発明が解決しようとする課題】
ところで、従来の車載用機器では、挿入口をその下側から照明していたので、夜間など車室内が暗くなる状況において、挿入口の位置をあらかじめ確認することはできるが、ディスク等の記録媒体を出し入れしようとして実際に挿入口に近づけると、下側の光源による照明光がディスク等によって遮られてしまうために、挿入しようとするディスク等の周辺が暗くなってしまい、操作内容が確認しにくく、操作性が悪いという問題があった。
【０００４】
本発明は、このような点に鑑みて創作されたものであり、その目的は、ディスク等の記録媒体を出し入れする際の操作性を向上させることができる車載用機器を提供することにある。
【０００５】
【課題を解決するための手段】
上述した課題を解決するために、本発明の車載用機器は、挿抜可能な記録媒体に記録された情報を読み出して所定の処理を行う車載用機器であって、記録媒体を出し入れする挿入口が筐体の前面に形成されている場合に、挿入口の下側に第１の照明手段が配置され、記録媒体を挿入口に出し入れする際に、少なくとも記録媒体の上側を照明可能な位置に第２の照明手段が配置されている。そして、記録媒体が挿入口に接近したことを非接触型のセンサによって検出し、照明切り替え手段により、センサによる記録媒体の検出状態を監視し、記録媒体が検出されたときに第２の照明手段による照明を行うように照明状態を切り替えている。
【０００６】
挿入口に記録媒体が接近した際に第２の照明手段によって記録媒体の上側が照明されるので、ディスク等の記録媒体を出し入れする際にその周辺を明るくすることができ、それ以外では第１の照明手段によって挿入口が下側から照明されるので挿入口を見やすくでき、これにより記録媒体を出し入れする際の操作性を向上させることができる。
【０００７】
また、上述した照明切り替え手段は、センサによって記録媒体が検出されたときに第１の照明手段による照明を停止することが望ましい。記録媒体を出し入れする際には、挿入口の下側に配置された第１の照明手段による照明光は記録媒体によって遮られてしまい照明効果が少ないので、記録媒体の出し入れ時に第１の照明手段による照明を停止することで、操作性を損なうことなく消費電力を低減することができる。
【０００８】
また、装填された状態にある記録媒体の排出を指示する排出指示操作手段をさらに備えておき、照明切り替え手段は、排出指示操作手段によって排出指示が行われたときに、第２の照明手段による照明を行うようにしてもよい。このように、排出指示に連動して照明状態を変更することで、記録媒体が排出された後にこれをセンサによって検出して照明状態を変更する場合に比べて、より速いタイミングで照明状態を変更することができる。これにより、利用者に対して、排出指示の入力にすばやく反応して照明状態が変更されているように体感させることができる。
【０００９】
【発明の実施の形態】
以下、本発明を適用した一実施形態の車載用のディスク再生装置について、図面を参照しながら説明する。
図１は、本実施形態のディスク再生装置の外観を表す斜視図であり、ディスク再生装置を前面側から見た様子が部分的に示されている。図１（Ａ）は、本実施形態のディスク再生装置１００の前面に配置された各部を説明する図であり、図１（Ｂ）は、ディスク再生装置１００に対して記録媒体としてのディスク９０を出し入れする際の様子を説明する図である。
【００１０】
図１に示すディスク再生装置１００は、車室内のフロント側であって利用者の目線より低い位置に設置されており、ディスク９０（例えば、音楽ＣＤ等）に記録された音楽データに基づいて音楽を再生するものであり、ディスク取り出しキー１０ａ、送りキー１０ｂ、戻しキー１０ｃ、音量キー１０ｄ、電源キー１０ｅ、およびその他の各種操作キー、再生中の楽曲のトラック数や現在時刻などを表示する表示部１２、ディスク再生装置１００に対してディスク９０を出し入れするための挿入口１４、挿入口１４の上側に配置されており挿入口周辺を照明する光源１６、挿入口の下側に配置されており挿入口周辺を照明する光源１８、挿入口１４にディスク９０が接近したことを検出する非接触型のセンサ２０などを筐体１１０の前面側に備えている。
【００１１】
また図１（Ｂ）に示すように、ディスク９０の面が水平となるように挿入口１４に対してディスク９０の出し入れが行われる。具体的には、挿入口１４に対してディスク９０の一部を手動で挿入すると、筐体１１０の内部に備えられているディスク送り部（後述する）によって自動的に筐体１１０内の所定位置までディスク９０が送られる。また、上述したディスク取り出しキー１０ａを押下することにより、ディスク送り部（後述する）によって挿入口１４を介して、筐体１１０の外側の所定位置までディスク９０が排出される。
【００１２】
次に、ディスク再生装置１００の内部構成について説明する。図２は、ディスク再生装置１００の内部構成を示す図である。同図に示すように、ディスク再生装置１００は、操作部１０、表示部１２、光源１６、１８、センサ２０、ディスク送り部３０、スピンドルモータ３２、光ピックアップ３４、送りモータ３６、サーボドライバ３８、ＲＦアンプ４０、信号処理部４２、制御部４４、オーディオ処理部４６、デジタル−アナログ（Ｄ／Ａ）変換部４８を含んで構成されている。
【００１３】
操作部１０は、上述したディスク取り出しキー１０ａ、送りキー１０ｂ、戻しキー１０ｃ、音量キー１０ｄ、電源キー１０ｅ、およびその他の操作キーを含んで構成されており、ディスク再生装置１００に対する各種の操作指示を入力するために用いられる。
【００１４】
センサ２０は、例えば、赤外線センサ等の非接触型のセンサであり、挿入口１４にディスク９０が接近したことを検出した場合に所定の検出信号を制御部４４に出力する。
ディスク送り部３０は、ディスク９０の一部が挿入口１４に挿入されたことを検出し、挿入されたディスク９０を所定位置まで搬送する動作を行う。また、ディスク送り部３０は、ディスク取り出しキー１０ａが押下された場合には、サーボドライバ３８からの指示に従って、ディスク９０をディスク再生装置１００の外部の所定位置まで排出する動作を行う。なお、ディスク取り出し時におけるディスク９０は、例えば、ディスク９０の半分程度が挿入口１４の外側に出る位置まで排出される。
【００１５】
スピンドルモータ３２は、ディスク９０を所定の回転数で回転させる。光ピックアップ３４は、ディスク９０から記録信号の読み取りを行うものであり、半導体レーザからの照射光を集光するとともにディスク９０の信号記録面からの反射光をホトダイオードに導く対物レンズと、この対物レンズをディスク９０の信号記録面に垂直方向に移動させることにより焦点位置を調整するフォーカスアクチュエータと、対物レンズをディスク９０の径方向に移動させることによりトラッキング調整を行うトラッキングアクチュエータを含んでいる。
【００１６】
送りモータ３６は、光ピックアップ３４をディスク９０の径方向に移動させる。サーボドライバ３８は、制御部４４から与えられる指示に従って各種のサーボ制御を行い、スピンドルモータ３２等を駆動する。具体的には、サーボドライバ３８は、フォーカスサーボ制御およびトラッキングサーボ制御を行って、送りモータ３６や光ピックアップ３４に内蔵されたフォーカスアクチュエータを駆動する動作、スピンドルモータ３２の回転数を制御する動作、ディスク送り部３０を駆動する動作などを行う。
【００１７】
ＲＦアンプ４０は、光ピックアップ３４から出力される信号を増幅して所定のイコライザ処理を行うことによりＲＦ信号を生成して出力する。また、ＲＦアンプ４０は、フォーカスサーボに必要なフォーカスエラー信号およびトラッキングサーボに必要なトラッキングエラー信号を生成して制御部４４に出力する。
【００１８】
信号処理部４２は、ＲＦアンプ４０から出力される信号に対して、同期検出およびＥＦＭ（Eight to Fourteen Modulation）復調処理を行った後、ＣＩＲＣ（Cross Interleave Reed-Solomon Code）デコード処理を行い、この結果得られた音楽データを制御部４４に出力する。
【００１９】
制御部４４は、サーボドライバ３８に対して各種のサーボ指示を出力するなどディスク再生装置１００の全体を制御するものである。また、本実施形態の制御部４４は、センサ２０から出力される検出信号の有無に基づいて、挿入口１４付近にディスク９０が接近したか否かを判定し、判定結果に基づいて、光源１６および光源１８の点灯／非点灯を制御する。
【００２０】
オーディオ処理部４６は、制御部４４から出力される音楽データに対して、信号帯域外の成分を減少させるためのオーバーサンプリング処理等、オーディオ音の再生に必要な各種処理を行う。
デジタル−アナログ変換部４８は、オーディオ処理部４６から出力される各種処理後の音楽データをアナログの音声信号に変換し、図示しないスピーカ等へ出力する。
【００２１】
上述した光源１８が第１の照明手段に、光源１６が第２の照明手段に、制御部４４が照明切り替え手段に、操作部１０に含まれるディスク取り出しキー１０ａが排出指示操作手段にそれぞれ対応している。
本実施形態のディスク再生装置１００はこのような構成を有しており、次に、ディスク９０の出し入れ時に挿入口１４周辺の照明状態を制御する動作について詳細に説明する。
【００２２】
図３は、挿入口１４周辺の照明状態を制御する際の動作手順を示す流れ図であり、主に制御部４４によって行われる動作が示されている。また、図４は、挿入口１４周辺の照明状態の変化を説明する図であり、ディスク再生装置１００を側面側から見た様子が模式的に示されている。なお、電源投入時などの初期状態においては、制御部４４は、図４（Ａ）に示すように、下側の光源１８のみを点灯しているものとして説明する。
【００２３】
制御部４４は、センサ２０からの検出信号の有無に基づいて、挿入口１４にディスク９０が接近したか否かを判定する（ステップ１００）。具体的には、利用者によってディスク９０が挿入口１４付近に近づけられた場合、あるいは、既にディスク再生装置１００内に挿入されていたディスク９０が排出された場合には、センサ２０によってディスク９０の接近が検出されて所定の検出信号が出力される。
【００２４】
挿入口１４付近にディスク９０が接近していない場合には、ステップ１００で否定判断がなされ、制御部４４は、ステップ１００の判定を繰り返す。すなわち、ディスク９０が挿入口１４に接近しない間は、下側の光源１８が点灯し、上側の光源１６が消灯している状態（図４（Ａ）に示す状態）が継続される。
【００２５】
挿入口１４にディスク９０が接近した場合には、ステップ１００で肯定判断がなされ、制御部４４は、下側の光源１８を消灯するとともに、上側の光源１６を点灯する（ステップ１０１）。
図４（Ｂ）および図４（Ｃ）は、上側の光源１６が点灯し、下側の光源１８が消灯している状態を示している。図４（Ｂ）は、ディスク９０が挿入口１４に対して挿入される場合の様子を示している。利用者によりディスク９０が挿入口１４に近づけられると、ディスク９０の接近がセンサ２０によって検出され、これに対応して、上側の光源１６による照明が行われているので、ディスク９０の上面が照明光があたり、ディスク９０の周辺が見やすくなる。
【００２６】
また、図４（Ｃ）は、ディスク９０が挿入口１４から排出される場合の様子を示している。ディスク取り出しキー１０ａが押下され、挿入口１４からディスク９０が排出された場合においても、ディスク９０の存在がセンサ２０によって検出され、これに対応して上側の光源１６による照明が行われるので、ディスク挿入時と同様に、ディスク９０の周辺が見やすくなる。
【００２７】
次に、制御部４４は、センサ２０からの検出信号の有無に基づいて、挿入口１４付近にディスク９０が存在しなくなったか否かを判定する（ステップ１０２）。ディスク９０が挿入口１４に接近している状態が継続している場合には、ステップ１０２で否定判断がなされ、制御部４４は、ステップ１０２の判定を繰り返す。すなわち、ディスク９０が挿入口１４に接近している間は、上側の光源１６が点灯し、下側の光源１８が消灯している状態が継続される。
【００２８】
また、挿入口１４付近にディスク９０が存在しなくなった場合には、ステップ１０２で肯定判断がなされ、制御部４４は、上側の光源１６を消灯し、下側の光源１８を点灯する（ステップ１０３）。具体的には、ディスク挿入時においてディスク９０がディスク再生装置１００の内部の所定位置まで送られた場合、および、ディスク排出時において排出されたディスク９０が利用者によって取り去られた場合に、センサ２０から検出信号が出力されなくなり、挿入口１４付近にディスク９０が存在しなくなったと判定される。
【００２９】
ステップ１０３に示した処理を行うと、制御部４４は、上述したステップ１００に戻り、ディスク９０が挿入口１４に接近したか否かの判定以降の処理を繰り返す。
このように、本実施形態のディスク再生装置１００は、挿入口１４にディスク９０が接近した際に、挿入口１４の上側に配置された光源１６を点灯することにより、ディスク９０の上側を照明しているので、ディスク９０を出し入れする際にディスク９０の周辺を明るくすることができ、これによりディスク９０を出し入れする際の操作性を向上させることができる。また、ディスク９０が挿入口１４へ接近した場合には、挿入口１４の下側に配置された光源１８を消灯しているので、消費電力を低減することができるという利点もある。
【００３０】
なお、本発明は上記実施形態に限定されるものではなく、本発明の要旨の範囲内において種々の変形実施が可能である。例えば、上述した実施形態では、ディスク９０を挿入口１４に出し入れする際に、ディスク９０の上側を照明可能な位置に配置された第２の照明手段として、挿入口１４の上側に光源１６を配置していたが、挿入口１４の上側以外の位置に第２の照明手段を設けるようにしてもよい。図５は、挿入口１４の上側以外の位置に第２の照明手段を設ける変形例を示す図である。同図に示す例では、第２の照明手段として、２つの光源１９ａよび１９ｂが挿入口１４の左右の所定位置に配置されている。そして、これらの光源１９ａおよび１９ｂによる照明光は、図５においてハッチングで示されているように挿入口１４に向けて照射されている。このように、挿入口１４の左右に光源１９ａおよび１９ｂを配置することによっても、ディスク９０の上側を照明することができる。なお、左側の光源１９ａまたは右側の光源１９ｂのいずれか一方のみを設けるようにしてもよい。
【００３１】
また、上述した実施形態では、制御部４４は、ディスク９０の挿入口１４への接近をセンサ２０によって検出していたが、ディスク９０の排出時においては、ディスク取り出しキー１０ａが押下されたことを検出して、照明状態を制御するようにしてもよい。図６は、ディスク取り出しキー１０ａが押下されたことを検出して照明状態を制御する変形例の動作手順を示す流れ図である。なお、図６に示す流れ図は、上述した図３に示した流れ図におけるステップ１００とステップ１０１の間に新たにステップ１１０の処理を追加した点と、ステップ１０１とステップ１０２の間に新たにステップ１１１の処理を追加した点が異なっている。以下、両者の相違点を中心に説明する。
【００３２】
制御部４４は、挿入口１４にディスク９０が接近した否かを判定し（ステップ１００）、接近していない場合には否定判断を行って、次に、ディスク取り出しキー１０ａが押下されたか否かを判定する（ステップ１１０）。ディスク取り出しキー１０ａが押下されない間は、ステップ１１０で否定判断がなされ、上述したステップ１００に戻り、以降の処理が繰り返される。
【００３３】
ディスク９０が接近してステップ１００で肯定判断がなされるか、あるいは、ディスク取り出しキー１０ａが押下されてステップ１１０で肯定判断がなされると、制御部４４は、下側の光源１８を消灯し、上側の光源１６を点灯する（ステップ１０２）。
【００３４】
次に、制御部４４は、所定時間が経過したか否かを判定する（ステップ１１１）。具体的には、ステップ１１１における所定時間は、ディスク取り出しキー１０ａが押下された時点からディスク９０が排出され、センサ２０によりその存在が検出されるまでに必要な時間に対応して設定される。
【００３５】
所定時間が経過すると、ステップ１１１で肯定判断がなされ、次に制御部４４は、センサ２０からの検出信号の有無に基づいて、挿入口１４付近にディスク９０が存在しなくなったか否かの判定（ステップ１０２）以降の処理を行う。
また、上述した実施形態では、挿入口１４へのディスク９０の接近を検出した場合に上側の光源１６を点灯させていたが、光源１６による照射光を点滅させるようにしてもよい。これにより、センサ２０が動作してディスク９０の接近を検出していることを利用者に対して視覚的に強調することができるので、ディスク再生装置１００の商品性を向上させることができる。
【００３６】
また、上述した実施形態では、挿入口１４へのディスク９０の接近を検出した場合に下側の光源１８を消灯させていたが、下側の光源１８は、必ずしも消灯させる必要はなく、点灯させたままにしてもよい。
また、下側の光源１８については省略し、挿入口１４にディスク９０が接近した時に上側、あるいは左右に設けられた光源によって、ディスク９０の上側を照明するようにしてもよい。
【００３７】
また、上述した実施形態では、記録媒体としてＣＤ等のディスク９０を用いたディスク再生装置１００について説明したが、これ以外にも、ミニディスク（ＭＤ）、カセットテープ、各種半導体メモリ等の記録媒体を用いて、これらの記録媒体を出し入れする各種の車載用のオーディオ再生装置に対しても、上述した実施形態と同様にして本発明を適用することができる。
【００３８】
【発明の効果】
上述したように、本発明によれば、挿入口に記録媒体が接近した際に第２の照明手段によって記録媒体の上側を照明しているので、ディスク等の記録媒体を出し入れする際にディスク等の周辺を明るくすることができ、それ以外では第１の照明手段によって挿入口を下側から照明しているので挿入口を見やすくでき、これにより記録媒体を出し入れする際の操作性を向上させることができる。
【図面の簡単な説明】
【図１】一実施形態のディスク再生装置の外観を表す斜視図である。
【図２】ディスク再生装置の内部構成を示す図である。
【図３】挿入口周辺の照明状態を制御する際の動作手順を示す流れ図である。
【図４】挿入口周辺の照明状態の変化を説明する図である。
【図５】挿入口の上側以外の位置に第２の照明手段を設ける変形例を示す図である。
【図６】ディスク取り出しキーが押下されたことを検出して照明状態を制御する変形例の動作手順を示す流れ図である。
【符号の説明】
１０  操作部
１０ａ  ディスク取り出しキー
１２  表示部
１４  挿入口
１６、１８  光源
２０  センサ
３０  ディスク送り部
３２  スピンドルモータ
３４  光ピックアップ
３６  送りモータ
３８  サーボドライバ
４０  ＲＦアンプ
４２  信号処理部
４４  制御部
４６  オーディオ処理部
４８  デジタル−アナログ（Ｄ／Ａ）変換部
９０  ディスク
１００  ディスク再生装置
【図１】
0003795735.tif 000002
【図２】
0003795735.tif 000003
【図３】
0003795735.tif 000004
【図４】
0003795735.tif 000005
【図５】
0003795735.tif 000006
【図６】
0003795735.tif 000007